(57)【要約】【課題】枠部材を進退駆動するレンズ駆動装置にて、摺動抵抗が少なく、しかも、小型化が図れるレンズ駆動装置を提供すること。【解決手段】本カメラ１は、レンズ駆動装置および撮影光学系，ＣＣＤを有する鏡枠ユニット７を内蔵しており、該レンズ駆動装置は、第二群レンズを保持する第二群枠７２を進退駆動する装置であり、第二群枠７２のガイド軸用スリーブ８１に回動自在に支持された雌ネジ山部を持つハーフナット８２と、該ハーフナットに回動自在に支持された雌ネジ山部を持つナット爪８３とを有し、ハーフナット８２とナット爪８３とは、送りネジ軸１０３の外径部に挟持して螺合する。ハーフナット８２とナット爪８３とが回動自在に支持されていることから、ガイド軸７５，７６と送りネジ軸１０３との位置ずれがあったとしても螺合部には無理な力が作用せず、スムーズな進退駆動が行われる。【選択図】図１５
2005215080.tif 000002
【特許請求の範囲】
【請求項１】
ガイド軸と、
上記ガイド軸の外周に嵌合する嵌合部を有し、上記ガイド軸に沿って移動可能な枠部材と、
上記枠部材を上記ガイド軸に沿って駆動するための駆動部材と、
上記嵌合部の外周に嵌合し、上記嵌合部周りに回動可能であり、上記駆動部材により駆動され上記枠部材と共に上記ガイド軸に沿って移動する被駆動部材と、
を有したことを特徴とするレンズ駆動装置。
【請求項２】
上記駆動部材と上記被駆動部材とは、それぞれ送りネジ部材とこの送りネジ部材に螺合する雌ネジ部材であることを特徴とする請求項１記載のレンズ駆動装置。
【請求項３】
上記嵌合部は、スリーブ部材であることを特徴とする請求項１、または、２記載のレンズ駆動装置。
【発明の詳細な説明】
【技術分野】
【０００１】
本発明は、枠部材を移動させるためのレンズ駆動装置の構造に関する。
【背景技術】
【０００２】
従来、カメラ等のレンズ鏡筒における光学部材を保持する枠部材をガイド軸に沿って進退駆動するための駆動装置として提案された特許文献１に開示の送りネジ機構は、移動部材（枠部材）をガイドするガイド軸にナット部材がガイドされながら送りネジによって進退駆動され、上記移動部材を進退駆動する機構である。
【０００３】
また、特許文献２に開示されたレンズ駆動装置は、ガイド軸にガイドされるレンズ保持枠（枠部材）によりラック部材が回動可能に支持されており、上記ラック部材をガタの生じない状態で送りネジに噛合させ、上記送りネジの回転にともなってレンズ保持枠が進退駆動される機構である。なお、上記特許文献１，２の装置ではともにガイド軸と送りネジの位置誤差をナット部材、または、ラック部材の回動移動によって吸収するようになっている。
【特許文献１】特許文献１は、特開平８−１８４７４２号公報である。
【特許文献２】特許文献２は、特開平５−２７１４９号公報である。
【発明の開示】
【発明が解決しようとする課題】
【０００４】
上述した特許文献１の送りネジ機構では、上記移動部材が移動される際に上記ナット部材が傾く可能性があり、そのような状態では、上記ガイド軸とナット部材間の摺動抵抗が増加する。従って、駆動源として大型のものが必要となり、また、円滑な駆動が得られないといった問題も生じる。
【０００５】
また、特許文献２のレンズ駆動装置では、上述の特許文献１の送りネジ機構による駆動源が大きくなってしまう問題はないが、ラック部材を配置するための大きなスペ−スが必要となり駆動装置の小型化が図れないといった問題があった。
【０００６】
本発明は、上述の問題を解決するためになされたものであり、レンズ駆動装置において摺動抵抗の増加が極めて少なく、しかも、小型化が図れるレンズ駆動装置を提供することを目的とする。
【課題を解決するための手段】
【０００７】
本発明の請求項１記載のレンズ駆動装置は、ガイド軸と、上記ガイド軸の外周に嵌合する嵌合部を有し、上記ガイド軸に沿って移動可能な枠部材と、上記枠部材を上記ガイド軸に沿って駆動するための駆動部材と、上記嵌合部の外周に嵌合し、上記嵌合部周りに回動可能であり、上記駆動部材により駆動され、上記枠部材と共に上記ガイド軸に沿って移動する被駆動部材とを有し、上記駆動部材によって上記被駆動部材が駆動され、上記枠部材は、上記被駆動部材と共に上記ガイド軸に沿って移動する。
【０００８】
本発明の請求項２記載のレンズ駆動装置は、請求項１記載のレンズ駆動装置において、上記駆動部材と上記被駆動部材とは、それぞれ送りネジ部材とこの送りネジ部材に螺合する雌ネジ部材である。
【０００９】
本発明の請求項３記載のレンズ駆動装置は、請求項１、または、２記載のレンズ駆動装置において、上記嵌合部は、スリーブ部材である。
【発明の効果】
【００１０】
本発明によれば、枠部材を進退駆動するレンズ駆動装置において、摺動抵抗が少なく、しかも、小型化が図れるレンズ駆動装置を提供することができる。
【発明を実施するための最良の形態】
【００１１】
以下、図を用いて本発明の実施形態を説明する。  
図１，２は、本発明の一実施形態であるレンズ駆動装置を内蔵するカメラの外観を示す図であって、図１は、カメラ前面側からみた斜視図であり、図２は、カメラ背面側からみた斜視図である。図３は、上記カメラの正面図であり、一部、回転スイッチ部まわりが断面で示される。図４は、上記カメラの平面図である。図５は、上記カメラの左側面図である。図６は、図１のＡ矢視図であって、回転スイッチ部まわりの外観を示す。図７は、上記カメラを背面側から見た図であって、撮影時に上記カメラのグリップ部をホールドした状態を示す。
【００１２】
なお、以下の説明においては、カメラの前後方向に関して被写体側方向を前方（図中、＋Ｚ方向）とし、その逆（背面側）方向を後方とする。また、カメラの上下方向に関して図中、＋Ｙ方向を上方向とする。さらに、カメラの左右方向に関しては、前面側からみた左右方向で示す。すなわち、図中、＋Ｘ方向を右方向とする。上記Ｘ，Ｙ，Ｚ方向は、互いに直交する方向である。そして、Ｚ方向は、撮影光学系の入射光の第一の光軸Ｏ1 と平行な方向である。なお、上記撮影光学系の入射光は、鏡枠ユニット内で撮像素子側である下方（−Ｙ方向）に向け、第二の光軸Ｏ2 に向けて屈折されるものとする。
【００１３】
本実施形態のカメラ１は、被写体画像を電気的撮像信号に変換する撮像素子を内蔵し、画像記録用メディアが着脱可能なデジタルカメラであり、図１，２に示すように各カメラ内蔵部材を内部に収納する外装部材として前カバー２と、中カバー３と、後カバー４とを有している。
【００１４】
前カバー２には前面部に前面パネル５２が固着され、上方前面部右側に後述する鏡枠ユニットの撮影光の入射部に配される保護ガラス５４と、上方前面中央部にストロボ窓部５５とが設けられる。
【００１５】
中カバー３は、帯状枠形状を有する部材であって、前カバー２と後カバー４に挟持された状態で保持される。この中カバー３には盛り上がって形成される左上辺凸部３ｃにレリーズスイッチ４６（後述）の操作用レリーズ釦３１と、右上辺にマイクロフォン穴部３ｊとが配される。カメラグリップ側である左辺の左辺端面３ｓに操作部材であるキャンセル釦３３，操作部材であるパワースイッチ釦３４とが配され、それらの釦３３，３４の間の位置に操作部材であるモード選択釦３５が配されている。
【００１６】
さらに、中カバー３の上辺と左辺との２つの外装面が交差する稜部に形成される稜部曲面（Ｚ方向に平行な曲面）３ｖに設けられる開口部３ａに回転操作部材である回転ダイヤル２０が配される。また、中カバー３の右辺側面には吊り環３２が固着されている。
【００１７】
後カバー４には背面部に後面パネル５６が固着され、後面パネル５６を避けたカメラグリップ側である左側上方位置に一対のズーム釦５７，５８が配されている。後面パネル５６の右寄り部分の広い範囲が透明なＬＣＤ表示領域部５６ａとなっており、該領域にて後述する表示ＬＣＤ８の表示画面が観察可能である。後面パネル５６のＬＣＤ表示領域部５６ａの左側のカメラグリップ部には多数個からなるグリップ滑り止め用の小さい凹部群５６ｂが設けられている。但し、下側の幾つかは、スピーカー用貫通穴となっている。
【００１８】
後カバー４に配されるズーム釦５７，５８は、後述するプッシュタイプのタクトスイッチ４７，４８をオンオフ操作するための操作釦であって、それらの釦の押圧操作によって、テレ、または、ワイドへの撮影レンズのズーミングが行われる。
【００１９】
中カバー３の左辺端面３ｓ上に配されるキャンセル釦３３とパワースイッチ釦３４は、後述するプッシュタイプのタクトスイッチ４９，５０をオンオフ操作するための押圧操作釦である。パワースイッチ釦３４は、カメラの電源のオンオフ操作用の操作部材であり、キャンセル釦３３は、直前に設定された内容をキャンセルする操作用の操作部材である。モード選択釦３５は、上下方向の３位置にスライド操作可能な後述するスライドスイッチ５１の操作用の操作部材であって、カメラの静止画撮影モードと再生モードと動画撮影モードを選択するための操作釦である。
【００２０】
回転ダイヤル２０は、回転スイッチ１８（図３）を操作するためのダイヤルであり、回転スイッチ１８とともに回転スイッチケース１９に保持され、その回転スイッチケース１９は、後述するように後カバー４内部にビス９Ｉにより取り付けられている。そして、回転ダイヤル２０は、上記稜部曲面３ｖに平行な軸２０ａ（図１０）まわりの回転操作と、平行な軸２０ａと直交するカメラ内側へのＳ方向（図３）へのクリック操作（押圧操作）とが可能である。なお、回転ダイヤル２０の外周面部は、所定厚みのゴム素材で形成されている。回転ダイヤル２０の最初の上記Ｓ方向へのクリック操作によって設定メニューが表示され、続いて、回転操作によってメニューの１つが選択され、その後のクリック操作によって選択モードが決定される。
【００２１】
図１，４に示すようにキャンセル釦３３とパワースイッチ釦３４が配されている中カバー３の左辺端面３ｓは、前カバー２，後カバー４の中カバー３との左辺接合部Ｃ1 ，Ｃ2 よりのわずかに盛り上がった端面位置にある。キャンセル釦３３とパワースイッチ釦３４は、左辺端面３ｓからわずかに凹んだ位置に挿入配置され、それらの釦表面が左辺端面３ｓとほぼ同一、または、それよりわずかに内側に位置するように配置される。モード選択釦３５もその釦表面が左辺端面３ｓとほぼ同一面に位置するように配置される。
【００２２】
前カバー２と後カバー４の左側端部には中カバー３との左辺接合部Ｃ1 ，Ｃ2 より傾斜しながら外側に盛り上がっており、中カバー３の左辺端面３ｓの左方向位置近くまで突出する傾斜面状の盛り上がり凸部２ｅ，４ｋが形成されている。
【００２３】
図１，６に示すように回転ダイヤル２０は、中カバー３の上辺と左辺の稜部曲面３ｖの開口部３ａに配置されるが、その回転ダイヤル２０の表面は、中カバー３の稜部曲面３ｖより突出して配置されている。また、前カバー２と後カバー４の上辺と左辺の稜部には中カバー３の稜部曲面３ｖとの稜部接合部Ｃ3 ，Ｃ4 から斜め上方（回転ダイヤル２０の外径方向）に傾斜面状の盛り上がり凸部２ｆ，４ｍが形成されている。
【００２４】
次に、本実施形態のカメラ１の内部に収納される各構成部材の詳細な配置について説明する。  
図８は、本実施形態のカメラの主要構成部材を示す分解斜視図である。図９は、上記カメラの中カバーおよびベースフレームに組み付けられる各スイッチ関連部材の分解斜視図である。図１０は、上記カメラの配置を示すＸＹ平面に沿った断面図である。図１１は、上記カメラの配置を示すＸＺ平面に沿った断面図である。図１２は、上記カメラの配置を示す撮影光学系の光軸を通るＹＺ平面に沿った縦断面図である。図１３は、上記カメラの配置を示す中央部のＹＺ平面に沿った断面図である。
【００２５】
図８に示すように本実施形態のカメラ１は、主要構成部として上述した前カバー２，中カバー３，後カバー４の他に、ストロボユニット５と、板状の基台であるベースフレーム６と、レンズ駆動装置を内蔵する鏡枠ユニット７と、ＴＦＴタイプＬＣＤを有する表示ユニットであるＬＣＤユニット８と、電池１０が装填可能な電池室板１１と、電池室蓋１２と、メイン基板１５と、電気部品であるサブ基板１７と、電気部品である回転スイッチ１８と、メディアスロット１６と、電気部品であるストロボ発光用のメインコンデンサ２５と、電気部品であるスイッチＦＰＣ（フレキシブル基板）４５と、スピーカー２２と、マイクロフォン３９、および、各接続用ＦＰＣ等を有してなる。
【００２６】
前カバー２にはその前面に前パネル５２が固着されており、上述したように前面上部の右側に鏡枠ユニット７の第一の光軸Ｏ1 位置に前枠５３に保持された保護ガラス５４が配され、その左側にストロボ窓部５５が配されている。なお、前枠５３には、レンズキャップ１４４が着脱可能である（図１２）。
【００２７】
中カバー３には下辺部に電池室開口部３ｉを開閉する電池室蓋１２が回動自在に組み付けられ、他の機器ともいうべきクレードルと接続するためのコネクタ（接点）２７が固着される。上辺部にレリーズ釦３１と、マイクロフォン３９と、ストロボ用トリガコイル４０とが配され、右辺部に吊り環３２が位置決め穴３ｐで位置決めされた状態で押さえ板３２ａを介して取り付けられる。中カバー３の左辺部には上述したようにキャンセル釦３３，パワースイッチ釦３４，モード選択釦３５が装着される。
【００２８】
レリーズ釦３１は、図１０に示すように内部にガイド軸部３１ａと押圧突起部３１ｂを有しており、中カバー３の上部のガイド穴にてガイド軸部３１ａを介して摺動自在に支持されている。そして、レリーズ釦３１は、ガイド軸部３１ａの外周に戻しバネ３１ｃが組み込まれ、上方に付勢されており、押圧突起部３１ｂを介してレリーズスイッチ４６の押圧操作が可能である。
【００２９】
電池室蓋１２は、中カバー３の電池室開口部３ｉに回動軸１４に回動、かつ、スライド自在に支持される。電池室蓋１２を開放する場合、図１３に示すように一旦閉位置Ｐａからカメラ前方へのスライド位置Ｐｂへに引き出てから下方の開放位置Ｐｃに回動させることができる。なお、電池室蓋１２の開閉状態は、電池室蓋１２のスライド位置をメイン基板１５に実装された電池蓋開閉検出スイッチ６０によって検出される。また、電池室蓋１２の開放状態で電池室開口部３ｉより電池１０、および、記録メディアは、上，下方向（Ｙ方向）に着脱可能である。
【００３０】
キャンセル釦３３，パワースイッチ釦３４は、図９，１０に示すように中カバー３の釦挿入口３ｄ，３ｅに挿入され、釦３３，３４の凸部３３ａ，３４ａを釦付勢用スイッチバネ板３６の穴３６ｂ，３６ｃに挿入固着される。スイッチバネ板３６は、Ｕ部３６ａを介して中カバーのスイッチバネ板取り付け部３ｋにて固着されている。スイッチバネ板３６によりキャンセル釦３３，パワースイッチ釦３４は、外側に付勢された状態で押圧操作可能に支持される。
【００３１】
モード選択釦３５は、図９，１０に示すように中カバー３の釦挿入口３ｆに挿入され、該釦３５のネジ穴３５ａにスイッチ板３７の穴３７ａを挿通させたビス９Ｌを螺着することによってスイッチバネ板３６と固着される。モード選択釦３５は、スイッチバネ板３６の固着により釦挿入口３ｆにて上下方向にスライド操作可能に支持される。
【００３２】
後カバー４には内側右寄り部分にその表示面がＸＹ平面に沿った状態のＬＣＤユニット８がビス９Ｑにより固着される。ＬＣＤユニット８の左側の左下方部にスピーカー２２が装着される。左側背面上部の釦開口部に外方側からズーム釦５７，５８が挿入され、釦付勢用スイッチ板を介して支持されており、ズーム釦５７，５８は、該スイッチ板により後方に付勢され、背面側より押圧操作可能である。
【００３３】
メイン基板１５は、背面側にメディアスロット１６と電池蓋開閉検出スイッチ６０とが実装されている。前面部にはサブコネクタ２１Ａ，スイッチコネクタ２１Ｂ，鏡枠用コネクタ２１Ｄ，２１Ｅ，クレードルコネクタ２１Ｆ，ＩＷコネクタ２１Ｇ等が実装されている。なお、メディアスロット１６のメディア挿入口は、組み立て状態で下方の中カバー３の電池室開口部３ｉ側に対向して位置するように配置される。
【００３４】
電池室板１１は、電池１０が挿入可能であって、厚み方向がＺ方向である電池室を形成するコの字状（溝型）折り曲げ板部材であって、左側端部にビス挿通穴１１ａと、右側端部に２カ所の取り付け用凸部１１ｂとを有している。
【００３５】
鏡枠ユニット７は、鏡枠本体６１に組み込まれ、屈折撮影光軸である第一，二の光軸Ｏ1 ，Ｏ2 をもつ撮影光学系と撮像素子のＣＣＤユニットとを有する（図１２）。なお、光軸Ｏ1 は、被写体に向かう光軸であり、光軸Ｏ2 は、光軸Ｏ1 が下方に向かって略９０°折り曲げられた光軸である。鏡枠本体６１にはその背面部にベースフレーム６に対する位置決めピン６１ｔ，６１ｕが設けられている（図１２）。この鏡枠ユニット７の詳細な構造については、後で図１４〜２７を用いて説明する。
【００３６】
スイッチＦＰＣ４５は、およそコの字状（溝型形状）の折り曲げ形状を有しており、ＹＺ面に平行な中央平面部には外側に電気部品であるタクトスイッチ４９，５０が実装され、その中央平面部から傾斜して折り曲げられた平面部に電気部品であるスライドスイッチ５１が実装されている。後方面上部の折り曲げ部にはタクトスイッチ４７，４８が実装されており、さらに、その上部にレリーズスイッチ４６が実装されている。
【００３７】
回転スイッチ１８は、サブ基板１７が固着された回転スイッチケース１９を有し、該スイッチケースに組み込まれ、回転，押圧可能な操作部材として回転ダイヤル２０を有している。
【００３８】
ストロボユニット５は、傘支持台４３と、傘支持台４３に支持される反射傘４１と、反射傘４１に取り付けられるストロボ発光管４２とからなる。
【００３９】
ベースフレーム６は、金属板を折り曲げて形成される板部材であって、図８，９に示すように主にそれぞれが折り曲げにより形成される平面であって、左側に形成される第一領域部（前面側，第一の領域の一方の面側）６ａおよびその裏面である第一領域部裏面（背面側，第一の領域の他方の面側）６ｂと、第一領域部６ａの左側から後方に屈曲して形成される段差部６ｓと、段差部６ｓから左側に屈曲して第一領域と平行に形成される第二領域部６ｃと、第二領域部６ｃの左端から前方側に屈曲してＹＺ平面と平行に形成される左端立ち上げ部６ｄとを有している。第一領域部６ａと第二領域部６ｃとは、それぞれＸＹ平面に平行な平面とする。段差部６ｓの段差ｔは、ＬＣＤユニット８の厚みにおよそ等しい。
【００４０】
ベースフレーム６の第一領域部６ａの平面部（ＸＹ面）には右方部に位置決め穴６ｈ，６ｇ，６ｉと、中央部に係止凸部６ｋと、左方部にビス穴（ネジ穴）６ｊと、上方部に取り付け穴６ｔとが設けられる。第一領域部の右端部から前方に段差曲げされた平面部（ＸＹ面）にビス挿通穴６ｆが設けられる。第一領域部６ａの中央部から前方側へ立ち曲げされた平面部（ＸＹ面）にビス穴６ｍが設けられる。第一領域部６ａから前本枠側に立ち曲げされた平面部（ＸＺ面）６ｒに２つの位置決め穴が設けられる。第二領域部６ｃの平面部（ＸＹ面）には上方部にビス挿通穴６ｅが設けられる。第二領域部６ｃの上部にて前方側に段差曲げされた平面部（ＸＹ面）に２つの位置決めピン６ｑが設けられる。左端立ち曲げ部（ＹＺ面）６ｄには位置決めピン６ｐが設けられ、左端立ち曲げ部６ｄの下方先端部にて内側へ折り曲げされた平面部（ＸＹ面）にビス穴６ｎが設けられる。
【００４１】
ベースフレーム６には電池室板１１，メイン基板１５，スイッチＦＰＣ４５，電池押さえ４４，ストロボユニット５等が取り付けられる。すなわち、電池室板１１は、凸部１１ｂを係止凸部６ｋに係合させた状態でビス挿通穴１１ａを挿通させたビス９Ｐをビス穴６ｊに螺着してベースフレーム６の第一領域部６ａ前面左側に取り付けられる。さらに、ベースフレーム６には上方部位置にストロボユニット５と、電池接片４４ａおよび電池バネ４４ｂを有する電池押さえ４４とが取り付け穴６ｔを介して取り付けられる。
【００４２】
メイン基板１５は、ビス挿通穴１５ａ，切り欠き１５ｂを挿通させたビス９Ｊ，９Ｋをビス穴６ｍ，６ｎに螺着してベースフレーム６の前方部にＸＹ面に平行な状態で取り付けられる。
【００４３】
スイッチＦＰＣ４５は、位置決めピン６ｐ，６ｑにスイッチＦＰＣ４５の位置決め穴４５ａ，４５ｂをそれぞれ嵌入させて位置決めし、ベースフレーム６の左端立ち曲げ部６ｄの外側と第二領域部６ｃとの裏側に両面テープなどで固定される。上記スイッチＦＰＣ４５の固定状態では、タクトスイッチ４７，４８が第二領域部６ｃの上方折り曲げ部裏面の位置に、また、タクトスイッチ４９，５０が立ち曲げ部６ｄ外面の位置に，スライドスイッチ５１が立ち曲げ部６ｄに形成される傾斜面の位置に、さらに、レリーズスイッチ４６が上部の立ち曲げ平面部６ｒの所定位置にそれぞれ配置される。
【００４４】
電池押さえ４４は、ベースフレーム６の第一領域部６ａの上方の取り付け穴６ｔにボス部を嵌入した状態でビス９Ｎを螺着して固着される（図１３）。
【００４５】
ストロボユニット５は、傘支持台４３を電池押さえ４４にビス９Ｍにより固定され、ベースフレーム６の第一領域部６ａの上方に組み付けられる（図１３）。
【００４６】
上記スイッチ，ストロボユニット，電池室板等の各部材が装着されたベースフレーム６は、後カバー４の位置決めピン４ｈに位置決め穴６ｈを嵌入させて位置決めし、ビス挿通穴６ｆ，６ｅを挿通させたビス９Ｈ，９Ｇをビス穴４ｉ，４ｇに螺着して後カバー４の内部に取り付けられる。
【００４７】
回転スイッチ１８は、サブ基板１７と一体化された状態で後カバー４の左側内側のボス部のビス穴４ｊに回転スイッチケース１９のビス挿通穴１９ａを挿通させたビス９Ｉを螺着することにより後カバー４に取り付けられる（図８，１０）。
【００４８】
上述した後カバー４の組み付け状態では、図１１に示すようにベースフレーム６の第一領域部裏面６ｂに対向し、段差部６ｓの段差ｔにＬＣＤユニット８が位置し、裏面６ｂを覆うようにな状態となる。なお、ＬＣＤユニット８は、防塵シート枠５９を介した状態で後パネル５６に当接している。
【００４９】
各構成部材間の電気接続を行う各ＦＰＣは、メイン基板１５，サブ基板１７のそれぞれのコネクタに接続される。すなわち、メイン基板１５のサブコネクタ２１Ａ，スイッチコネクタ２１Ｂ，鏡枠用コネクタ２１Ｄ，２１Ｅ，クレードルコネクタ２１Ｆ，ＩＷコネクタ２１Ｇにそれぞれサブ基板ＦＰＣ２６，スイッチＦＰＣ４５，ＣＣＤ用ＦＰＣ１４２等の鏡枠関係ＦＰＣ，クレードルＦＰＣ２８等が接続される。さらに、サブ基板１７のＬＣＤコネクタ２１Ｈ，ＢＬコネクタ２１Ｊ，サブコネクタ２１ＫのそれぞれにＬＣＤ用ＦＰＣ２３，ＢＬ用ＦＰＣ２４，サブ基板ＦＰＣ２６が接続される。
【００５０】
後カバー４の中カバー３への組み合わせ結合に際して、鏡枠ユニット７は、後カバー４に取り付けられているベースフレーム６の第一領域部６ａ前面右側に鏡枠本体６１の位置決めピン６１ｔ，６１ｕを位置決め穴６ｇ，６ｉに嵌入させて位置決めして保持され（図１２）、メインコンデンサ２５は、ベースフレーム６の第二領域部６ｃ前方にてコンデンサ支持部６ｕとベースフレーム６の立ち曲げ部６ｄの傾斜面に挟まれた状態で保持される（図１１）。
【００５１】
鏡枠ユニット７，メインコンデンサ２５が位置決め保持された状態の後カバー４は、中カバー３に組み合わせ結合される。そのとき、回転スイッチ１８の回転ダイヤル２０は、中カバー３の開口部３ａを挿通させてダイヤル外周部を外方に露呈した状態とする。
【００５２】
中カバー３の前面側には、前カバー２が組み合わせて接合される。この接合状態で鏡枠ユニット７は、上述した位置決め状態で前カバー２とベースフレーム６とで挟持されて保持される。
【００５３】
上記各カバーの接合状態にてビス９Ａ，９Ｂ，９Ｃ，９Ｄを中カバー３と後カバー４との右，左面側からビス挿通穴３ｍ，３ｎ，３ｇ，３ｈと、４ｃ，４ｄ，４ａ，４ｂを挿通させ、前カバー２のビス穴２ａ，２ｂ，２ｃ，２ｄに螺着する（図１０）。さらに、ビス９Ｅ，９Ｆを中カバー３と後カバー４との下面側からビス挿通穴４ｅ，４ｆを挿通させ、中カバー３のビス穴３ｒに螺着し、また、ビス９Ｒ，９Ｓを前カバー２のビス挿通穴２ｇ，２ｈを挿通させ、中カバー３のビス穴３ｔ，３ｕに螺着する。このようにして、後カバー４と中カバー３と前カバー２とは、一体結合状態となる。
【００５４】
上述した後カバー４と中カバー３と前カバー２の結合によりカメラ１としての組み立てが完了する。
【００５５】
上述したカメラ１において、ＸＹ断面上で図１０に示すようにカメラ右側に鏡枠ユニット７，中央部に電池室板１１で形成される電池室が配置され、左側にサブ基板１７およびメインコンデンサ２５が配置され、サブ基板上部に回転スイッチ１８が配置される。
【００５６】
また、ＸＺ断面、または、ＹＺ断面上でのカメラ１の配置としては、図１１，１３，１４に示すようにベースフレーム６の第一領域部６ａ前面に鏡枠ユニット７と電池１０が収納される電池室板１１で形成される電池室とが位置し、その裏面６ｂ側であって段差部６ｓの段差にＬＣＤユニット８が位置する。ベースフレーム６の第二領域部６ｃの前面側にＸＺ面に沿ったサブ基板１７とメインコンデンサ２５との電気部品が位置し、第二領域部６ｃの後面側にスピーカー２２が位置する。さらに、電池室の前面部にメディアスロット１６が位置する。また、電池室およびメインコンデンサ２５，サブ基板１７の前側にＸＺ面に沿ったメイン基板１５が位置している。メイン基板１５の上部、かつ、電池室前面位置にストロボユニット５が位置する。
【００５７】
鏡枠ユニット７の光軸Ｏ1 ，Ｏ2 を通る断面のＹＺ平面上では図１２に示すようにベースフレーム６の第一領域部６ａの前面に鏡枠ユニット７が配され、第一領域部裏面６ｂ後方にＬＣＤユニット８が配される。
【００５８】
そして、カメラ上面左側に配置されるレリーズ釦３１の下方位置にはレリーズスイッチ４６が位置している。カメラ左側（グリップ側）背面上部に配置されるズーム釦５７，５８の内方位置にはタクトスイッチ４７，４８が位置している。さらに、カメラ左側面に配置されるキャンセル釦３３，パワースイッチ釦３４の内方位置にはタクトスイッチ４９，５０が位置しており、同様にカメラ左側面に配置されるモード選択釦３５の内方位置にはスライドスイッチ５１が位置している。
【００５９】
撮影時において、レリーズ釦３１の押圧操作によりレリーズスイッチ４６のオン信号が出力され、また、ズーム釦５７，５８の押圧操作によりタクトスイッチ４７，４８のオン信号が出力される（図１０）。一方、非撮影時において、キャンセル釦３３，パワースイッチ釦３４の押圧操作によりタクトスイッチ４９，５０のオン信号が出力される。非撮影時のモード選択釦３５のスライド操作によって操作部３５ｂを介してスライドスイッチ５１がスライド駆動され、切り換え信号が出力される（図１１）。
【００６０】
また、回転スイッチ１８の回転ダイヤル２０は、カメラ上面と左側面の稜部に位置している。非撮影時、回転ダイヤル２０のＳ方向（図３）への押圧操作によって回転スイッチ１８よりオン信号が出力され、回転ダイヤル２０の回転方向の回転操作により回転スイッチ１８より回転位置に対応した切り換え信号が出力される。
【００６１】
ここで、鏡枠ユニット７の構造の詳細について図１４〜２２を用いて説明する。  
図１４は、上記鏡枠ユニットの主要構成部材を示す背面側からみた分解斜視図である。図１５は、上記鏡枠ユニットの構成部材のうちのレンズ駆動装置の主要構成部材を示す背面側からみた分解斜視図である。図１６は、上記レンズ駆動装置を構成する第三群枠駆動ユニットおよび第三群枠ユニット，第三群ナット機構部の組み立て状態の斜視図である。図１７は、上記第三群枠，ガイド軸，第三群ナット機構部の組み立て状態の斜視図である。図１８は、第三群枠ユニットにおけるスリーブと第三群枠との接着状態を示す断面図である。図１９は、上記第三群ナット機構部の組み立て状態を下方側からみたの斜視図である。図２０は、上記第三群ナット機構部のハーフナット単体を下方側からみた斜視図である。図２１は、上記第三群ナット機構部のナット爪単体を下方側からみた斜視図である。図２２は、上記第三群枠とハーフナットとに付勢バネを懸架した状態を示す側面図である。
【００６２】
鏡枠ユニット７は、レンズ駆動装置を内蔵しており、図１４に示すように鏡枠本体６１と、第一群枠ユニット６２と、第二群枠ユニット６３と、第三群枠ユニット６４と、ＮＤフィルタユニット６５と、ＣＣＤユニット６９と、第二群枠駆動ユニット６６と、第三群枠駆動ユニット６７と、第四群レンズ１５６と、シャッタ駆動ユニット６８と、ガイド軸７５，７６と、本体蓋部材１４１とを有してなる。
【００６３】
鏡枠本体６１に対して第一群枠ユニット６２は、鏡枠本体６１の最上部に固定して配置され、その下方部に光軸Ｏ2 方向に沿って進退自在に支持される第二群枠ユニット６３，第三群枠ユニット６４が配される。さらに、第三群枠ユニット６４の下方部に鏡枠本体６１に固定された状態でＮＤフィルタユニット６５と第四群レンズ１５６が配され、第四群レンズ１５６の下方部の光軸Ｏ2 上にＣＣＤユニット６９が固定配置される。
【００６４】
ガイド軸７５，７６は、鏡枠本体６１の＋Ｘ側のガイド軸支持穴６１ｃ，６１ｄと−Ｘ側のガイド軸支持穴６１ｅ，６１ｆとにそれぞれ挿通，嵌入させてＹ方向に沿って固定支持される。そして、鏡枠本体６１内に挿入されている第二群枠７２のスリーブ８１は、ガイド軸用長穴７２ｂに、さらに、第三群枠７３のスリーブ８５は、ガイド軸用長穴７３ｂに挿通させた状態で固定される。第二群枠７２に対しては、ガイド軸７５側が進退ガイド用として、ガイド軸７６が回転規制用としてそれぞれ機能する。第三群枠７２に対しては、ガイド軸７６側が進退ガイド用として、ガイド軸７５が回転規制用としてそれぞれ機能する。
【００６５】
第二群枠駆動ユニット６６は、支持板１０１と、支持板１０１に軸受け部１０１ａを介して回転可能に支持される駆動部材（送りネジ部材）である送りネジ軸１０３と、支持板１０１の下部に配される枠駆動モータ１０２とを有してなる。支持板１０１は、鏡枠本体６１の＋Ｘ側側面部にて位置決め穴１０１ｃを本体側位置決めピン６１ｍに嵌入させ、ビス９Ｕをビス挿通穴１０１ｂに挿通させ、本体側ビス穴６１ｋに螺着して取り付けれる。その取り付け状態で送りネジ軸１０３は、ガイド軸７５の前方位置に光軸Ｏ2 と平行な状態で保持される。
【００６６】
第三群枠駆動ユニット６７は、支持板１１１と、支持板１１１に軸受け部１１１ａを介して回転可能に支持される駆動部材（送りネジ部材）である送りネジ軸１１３と、支持板１１１の下部に配される枠駆動モータ１１２とを有してなる。支持板１１１は、鏡枠本体６１の−Ｘ側側面部にて位置決め穴１１１ｃを本体側位置決めピン６１ｑに嵌入させた状態でビス９Ｖをビス挿通穴１１１ｂに挿通させ、本体側ビス穴６１ｐに螺着して取り付けられる。その取り付け状態で送りネジ軸１１３は、ガイド軸７６の前方位置に光軸Ｏ2 と平行な状態で保持される。
【００６７】
シャッタ駆動ユニット６８は、ロータリーソレノイドであるシャッタ駆動アクチュエータ１２１と、該アクチュエータ１２１により回動駆動される駆動レバー１２２と、その先端部にに装着されたシャッタ駆動軸１２３とを有してなる。シャッタ駆動ユニット６８は、ビス９Ｗをビス挿通穴１２１ａに挿通させ、鏡枠本体側ビス穴６１ｉに螺着して鏡枠本体６１上部に取り付けられる。シャッタ駆動軸１２３は、下方に向けて光軸Ｏ2 と平行に延出する状態で支持されており、鏡枠本体６１の円弧穴６１ｊを挿通して配置される。
【００６８】
第一群枠ユニット６２は、鏡枠本体６１に固定支持される第一群枠７１と、第一群枠７１内に保持される第一光学系として第一群前レンズ１５１，プリズム１５２，第一群後レンズ１５３とを有しており（図１２）、上記光学系によって入射する撮影光の第一の光軸Ｏ1 を−Ｙ方向に沿った第二の光軸Ｏ2 の方向に屈折させる。
【００６９】
第一群枠７１は、取り付け下面部に位置決め用長穴７１ｃと位置決め用穴７１ｄとを有している。第一群枠７１を鏡枠本体６１に取り付ける場合、予め鏡枠本体６１に挿着されているガイド軸７５，７６の先端に長穴７１ｃ，穴７１ｄを嵌入させて位置決めした状態とし、２本のビス９Ｔを第一群枠７１のビス挿通穴７１ａ，７１ｂに挿通させ、鏡枠本体６１のビス穴６１ｇ，６１ｈに螺着して鏡枠本体６１の上部位置に固定される。
【００７０】
ＮＤフィルタユニット６５は、中央開口部を有し、ＮＤフィルタユニット６５を保持するフィルタ枠７４と、フィルタ地板９１と、フィルタ地板９１にスライド自在に支持される絞り光学系であるＮＤフィルタ９３と、ＮＤフィルタ９３をスライド移動させるためのフィルタ駆動レバー９５と、フィルタ駆動レバー９５を回動駆動するフィルタアクチュエータ９４と、ＮＤフィルタ９３の上面を押さえるＮＤフィルタ蓋９２とを有してなる。
【００７１】
フィルタ枠７４は、ビス挿通穴７４ａを挿通させたビス９Ｙを鏡枠本体６１のビス穴６１ｒに螺着して固着される。その固定位置は、第三群枠７３の下方位置となる。
【００７２】
ＮＤフィルタユニット６５において、フィルタアクチュエータ９４によりフィルタ駆動レバー９５が回動駆動されると、ＮＤフィルタ９３が上記中央開口部を覆う位置と退避位置とにスライド移動する。
【００７３】
ＣＣＤユニット６９は、光軸Ｏ2 上の第四群レンズ１５６の下方位置に配され、光学フィルタ１５７と、ＣＣＤ１３１と、ＣＣＤ１３１を支持するＣＣＤ支持板１３２と、ＣＣＤ用ＦＰＣ１４２とを有してなる。ＣＣＤ支持板１３２は、ビス挿通穴１３２ａを挿通させたビス９Ｘを鏡枠本体６１のビス穴６１ｓに螺着して鏡枠本体６１の下部に固定される。ＣＣＤ１３１の下方部にはシールド板１４３が配されている（図１２）。
【００７４】
第三群枠ユニット６４は、図１４，１５に示すように枠部材である第三群枠７３と、第三群枠７３に保持され、光軸Ｏ2 上に配されるる第三群レンズ１５５と、第三群ナット機構部と、付勢バネ８９とを有してなる。
【００７５】
第三群枠７３は、中央開口部７３ａに第三群レンズ１５５を保持し、第三群枠７３の−Ｘ側には、ガイド軸７６に摺動自在に嵌合する嵌合部（スリーブ部材）としてのスリーブ８５が接着固定されるべき嵌合遊びのあるスリーブ穴７３ｃが設けられ、＋Ｘ側には、ガイド軸７５が摺動自在に嵌入する長穴７３ｂが設けられる。スリーブ８５は、ガイド軸７６を摺動自在に嵌入した状態で、第三群レンズ１５５の光軸が第二の光軸Ｏ2 と一致するように第三群枠７３に対して位置決めした状態で接着剤を注入穴７３ｇより注入し、スリーブ穴７３ｃに接着固定される（図１６，１８）。上記接着状態でスリーブ８５の上半外径部８５ａは、スリーブ穴７３ｃより突出しており、該外径部８５ａには、後述するハーフナット８６のボス部８６ａが回動自在に支持される。なお、スリーブ８５の上半外径部８５ａと第三群枠７３との接着部分との境界の外径部には、接着剤溜まり溝が設けられている。
【００７６】
第三群ナット機構部は、図１５〜２１に示すように第三群枠７３の−Ｘ側に配され、第三群枠駆動ユニット６７の送りネジ軸１１３と螺合可能な被駆動部材（雌ネジ部材）であるハーフナット８６およびナット爪８７と、トーションバネ８８とからなる。
【００７７】
ハーフナット８６には、ボス部８６ａと、その外径方向に延びる部分の先端部に設けられるＵ字形状部８６ｂと、軸穴８６aaと平行な下方に突出する軸である軸部８６ｅと、バネ係止部８６ｆが設けられている。ボス部８６ａには、スリーブ８５の上半外径部８５ａに回動可能に嵌入する軸穴８６aaが設けられる。Ｕ字形状部８６ｂの対向した両面上には、送りネジ軸１１３の軸外周の雄ネジ部に螺合する雌ネジ山部８６ｃが形成されている。さらに、Ｕ字形状部８６ｂの片側にナット爪８７が挿入される切り欠き部８６ｄが設けられる。なお、Ｕ字形状部８６ｂの切り欠き部８６ｄのある側には、必ずしも雌ネジ山部８６ｃを設ける必要はない。軸部８６ｅには、ナット爪８７が回動自在に支持される。
【００７８】
ナット爪８７には、ハーフナット８６の軸部８６ｅに回動可能に嵌入する軸穴８７ａと、その外径方向に延びる部分の先端部に送りネジ軸１１３のネジ山に螺合可能な単一山からなる雌ネジ山部８７ｃと、軸穴８７ａを有するボス部を切り欠いた切り欠き部８７ｄとが設けられる。
【００７９】
ナット爪８７は、軸穴８７ａをハーフナット８６の軸部８６ｅに嵌入させて回動自在に支持される。トーションバネ８８は、そのコイル部をナット爪８７の切り欠き部８７ｄ中の軸部８６ｅに挿入した状態でバネ両端部をナット爪８７とハーフナット８６に懸架して装着される。トーションバネ８８の装着によりハーフナット８６とナット爪８７とは、先端側の雌ネジ山部８６ｃと８７ｃとで送りネジ軸１１３のネジ外径を挟みつけるように付勢される。
【００８０】
ハーフナット８６，ナット爪８７等からなる第三群ナット機構部は、図１６，１７に示すようにハーフナット８６，ナット爪８７の雌ネジ山部を第三群枠駆動ユニット６７の送りネジ軸１１３のネジ部に螺合させ、かつ、ハーフナット８６の軸穴８６aaを第三群枠７３に保持されているスリーブ８５の上半外径部８５ａに回動自在に嵌入させた状態で組み込まれる。なお、スリーブ８５には、組み立て状態でガイド軸７６が摺動自在に嵌入する。
【００８１】
図２２に示すようにハーフナット８６のバネ係止部８６ｆと第三群枠７３のバネ係止部７３ｆとの間に付勢バネ８９が懸架され、ハーフナット８６のボス部８６ａが第三群枠７３のスリーブ嵌入面部に当接するように付勢される。第三群枠７３に対してハーフナット８６が多少回動したとしても付勢バネ８９による回動方向への付勢も作用するが回動付勢力は、小さくハーフナット８６の回動を大きく妨げるものではない。なお、自由状態では、ハーフナット８６は、第三群枠７３に対して中立位置に保持される（図２２）。
【００８２】
第三群枠駆動ユニット６７の鏡枠本体６１への組み付け状態にて上記第三群ナット機構部を組み込んだ第三群枠ユニット６４を鏡枠本体６１に挿入し、後述する方法で上記第三群ナット機構部を第三群枠駆動ユニット６７の送りネジ軸１１３に螺合させる。さらに、ガイド軸７５，７６が第三群枠７３のスリーブ８５，長穴７３ｂに嵌入させられる。上記第三群枠ユニット６４の取り付け状態にて枠駆動モータ１１２により送りネジ軸１１３を回転駆動させると、第三群枠７３は、送りネジ軸１１３によって光軸Ｏ2 方向に進退駆動される。
【００８３】
進退駆動される第三群枠ユニット６４においては、トーションバネ８８によりハーフナット８６とナット爪８７とが互いに送りネジ軸１１３を挟みつける方向に付勢されることから、雌ネジ山部８６ｃと８７ｃとは、送りネジ軸１１３に対して螺合ガタのない状態で螺合する。また、付勢バネ８９の付勢力によってハーフナット８６と第三群枠７３とが常に光軸Ｏ2 方向に一体の状態に保持されるので、送りネジ軸１１３の回転位相に対する第三群枠７３の光軸Ｏ2 方向の位置ずれやガタ発生が抑えられる。
【００８４】
そして、第三群枠７３は、２本のガイド軸７５，７６によりＸＺ平面上で位置決めされる一方、その第三群枠７３に装着されるハーフナット８６がスリーブ８５に、また、ナット爪８７もハーフナット８６にＸＺ平面上で回動自在に保持されている。従って、ハーフナット８６とナット爪８７が螺合する送りネジ軸１１３がガイド軸７５，７６に対して組み立て精度上でＸＺ平面上の位置ずれ（軸の倒れによる位置ずれを含む）があったとしてもハーフナット８６が回動して自動的に軸心合わせがなされ、送りネジ軸１１３とハーフナット８６，ナット爪８７との螺合による軋みや負荷の増大等が生じることがなく、第三群枠ユニット６４のスムーズな進退動作が得られる。
【００８５】
一方、第二群枠ユニット６３は、図１４，１５に示すように枠部材である第二群枠７２と、第二群枠７２に保持され、光軸Ｏ2 上に配される第二群レンズ１５４と、シャッタ部と、第二群ナット機構部と、付勢バネ９０とを有してなる。
【００８６】
第二群枠７２は、中央開口部に第二群レンズ１５４を保持し、その上部にシャッタ部が配されている。第二群枠７２の＋Ｘ側には、ガイド軸７５に摺動自在に嵌合する嵌合部（スリーブ部材）としてのスリーブ８１が接着固定されるスリーブ穴７２ｃが設けられ、−Ｘ側には、ガイド軸７６が摺動自在に嵌入する長穴７２ｂが設けられる。スリーブ８１は、ガイド軸７５を摺動自在に嵌入した状態で、第二群レンズ１５４の光軸が第二の光軸Ｏ2 と一致するように第二群枠７２に対して位置決めした状態でスリーブ穴７２ｃに接着固定される（図１８）。その接着状態でスリーブ８１の上半外径部８１ａは、上部に突出している。
【００８７】
上記シャッタ部は、第二群枠７２の上部に配され、シャッタレバー７７と、２枚のシャッタ羽根７９と、シャッタ羽根７９の間に介在して配される複数枚の羽根シートと、シャッタ羽根７９，羽根シートを第二群枠７２上部に保持するシャッタ蓋部材７８とを有してなる。なお、シャッタ蓋部材７８は、シャッタ羽根７９，羽根シート上方を覆う状態で第二群枠７２の係止爪７２ｄによって固定される。
【００８８】
シャッタレバー７７は、第二群枠７２に駆動自在に支持されており、シャッタ駆動ユニット６８のシャッタ駆動軸１２３が嵌入する長穴７７ａと２つのシャッタ羽根駆動ピン７７ｂを有している。
【００８９】
シャッタ羽根７９は、第二群枠７２の上部にてシャッタレバー７７のシャッタ羽根駆動ピン７７ｂを介してＸ方向にスライド移動可能に支持されている。シャッタ駆動軸１２３によってシャッタレバー７７が回動駆動されると、シャッタ羽根７９により第二群枠７２の中央開口部の開閉が行われる。
【００９０】
第二群ナット機構部は、第二群枠７２の＋Ｘ側に配され、駆動部材である送りネジ軸１０３と螺合可能な被駆動部材（雌ネジ部材）であるハーフナット８２およびナット爪８３と、トーションバネ８４とからなる。この第二群ナット機構部の基本的構造は、上述した第三群ナット機構部の構造と同様である。
【００９１】
ハーフナット８２は、ボス部８２ａと、先端部に設けられるＵ字形状部８２ｂと、ナット爪８３を回動自在に支持する軸部とが設けられる。ボス部８２ａには、スリーブ８１の上方外径部８１ａに回動可能に嵌入する軸穴８２aaが設けられる。Ｕ字形状部８２ｂには、送りネジ軸１０３の軸外周の雄ネジ部に螺合する雌ネジ山部８２ｃが形成されている。上記軸部は、軸穴８２aaと平行な軸である。
【００９２】
ナット爪８３は、ハーフナット８２の軸部に回動可能に支持され、その先端部に送りネジ軸１０３の軸外周の雄ネジ部に螺合可能な単一の雌ネジ山が設けられている。
【００９３】
トーションバネ８４は、ハーフナット８２とナット爪８３の間に懸架され、両者の雌ネジ山部で送りネジ軸１０３のネジ外径部を挟みつける方向に付勢する。ハーフナット８２とナット爪８３とをトーションバネ８４で付勢することにより送りネジ軸１０３を所定の付勢力で挟持し、ネジ山の螺合ガタをなくす。
【００９４】
付勢バネ９０は、ハーフナット８２のバネ係止部８２ｆと第二群枠７２のバネ係止部７２ｆとの間に懸架され、ハーフナット８２をボス部を第二群枠７２の上面部に当接させるように付勢する。この付勢力によってハーフナット８２と第二群枠７２とが常に光軸Ｏ2 方向に一体の状態に保持される。従って、ハーフナット８２と第二群枠７２との間に光軸Ｏ2 方向のガタが生じることがない。
【００９５】
第二群枠駆動ユニット６６の鏡枠本体６１への組み付け状態にて上記第二群ナット機構部が組み込まれた第二群枠ユニット６３を鏡枠本体６１に挿入し、後述するように上記第二群ナット機構部を第二群枠駆動ユニット６６の送りネジ軸１０３に螺合させる（図２３〜２７）。さらに、ガイド軸７５，７６が第二群枠７２のスリーブ８１，長穴７２ｂに嵌入させて取り付けられる。上記第二群枠ユニット６３の取り付け状態にて枠駆動モータ１０２により送りネジ軸１０３を回転駆動させると、第二群枠７２は、第三群枠７３の場合と同様に送りネジ軸１０３とハーフナット８２間の螺合ガタ、および、第二群枠７２とハーフナット８２との光軸Ｏ2 方向のガタのない状態で光軸Ｏ2 方向に沿って進退駆動される。そして、ガイド軸７５，７６に対して送りネジ軸１０３のＸＺ平面上の位置ずれ（軸の倒れによる位置ずれを含む）があったとしてもハーフナット８２，ナット爪８３が位置ずれ分だけ自動的に回動移動するので軋みや負荷の増大等が生じることがなく、第二群枠ユニット６３のスムーズな進退動作が得られる。
【００９６】
次に、鏡枠ユニット７における鏡枠本体６１への第二群枠ユニット６３および第三群枠ユニット６４の組み付け過程について、図２３〜２７を用いて説明する。  
図２３は、上記鏡枠本体に上記第二群枠ユニットおよび上記第三群枠ユニットの装着する前状態のＸＺ断面を示す図である。図２４〜２６は、上記鏡枠本体内に上記第二群枠ユニットを挿入していく過程でのＸＺ断面を示す図である。図２７は、上記鏡枠本体内に上記第二群枠ユニットを挿入し終えた装着状態でのＸＺ断面を示す図である。
【００９７】
鏡枠本体６１に第二群枠ユニット６３および第三群枠ユニット６４を組み込むに先立って、図２３に示すように鏡枠本体６１に第二，三群枠駆動ユニット６６，６７を組み付け、送りネジ軸１０３，１１３を所定の位置に位置決めする。ガイド軸７５，７６は未挿入とする。
【００９８】
そこで、第二群ナット機構部が組み込まれた第二群枠ユニット６３を鏡枠本体６１の内部にその背面側から前方（＋Ｚ方向）に向けて挿入する。第二群ナット機構部のハーフナット８２とナット爪８３とは、ＸＺ平面上で回動自在に支持されているので、図２４に示すようにハーフナット８２，ナット爪８３が鏡枠本体６１の＋Ｘ側内壁６１ｗ上を摺動可能な状態で挿入できる。ハーフナット８２，ナット爪８３が内壁６１ｗを通過後、図２５のように送りネジ軸１０３の位置に到達すると、ハーフナット８２，ナット爪８３の先端部が開いて送りネジ軸１０３のネジ外径部にかみ合う。そして、第二群枠ユニット６３が定位置まで挿入されると図２７に示すようにハーフナット８２，ナット爪８３の雌ネジ山部８２ｃ，８３ｃが送りネジ軸１０３の雄ネジ山に完全に螺合した状態となる。
【００９９】
一方、第三群ナット機構部が組み込まれた第三群枠ユニット６４も同様に鏡枠本体６１の内部にその背面側から前方（＋Ｚ方向）に向けて挿入する。第三群ナット機構部のハーフナット８６とナット爪８７とは、ＸＺ平面上で回動自在に支持されているので、ハーフナット８６，ナット爪８７が鏡枠本体６１の−Ｘ側内壁６１ｘ上を摺動可能な状態で挿入できる。そして、第三群枠ユニット６４が定位置まで挿入されるとハーフナット８６，ナット爪８７の雌ネジ山部８６ｃ，８７ｃも送りネジ軸１１３の雄ネジ山に完全に螺合した状態となる。
【０１００】
図２７に示した第二群枠ユニット６３および第三群枠ユニット６４が挿入された状態でガイド軸７５，７６をそれぞれ鏡枠本体６１を通して第二，三群枠７２，７３のスリーブ８１，８５および長穴７２ｂ，７３ｂを挿通させることにより第二群枠ユニット６３と第三群枠ユニット６４との組み込みが終了する。
【０１０１】
鏡枠本体６１内に各構成部材を組み込んだ後、背面部に本体蓋部材１４１を取り付け、本体蓋部材１４１の係止穴１４１ｃを鏡枠本体６１の係止部６１ｖに係合させて鏡枠ユニット７の組み付けが終了する。なお、上記組み付け状態の鏡枠ユニット７の背面部には、本体蓋部材１４１のピン穴１４１ａ，１４１ｂを挿通して鏡枠本体６１の位置決めピン６１ｔ，６１ｕが背面に突出している。これらの位置決めピン６１ｔ，６１ｕは、後カバー４に組み込む際に、ベースフレーム６の位置決め穴６ｇ，６ｉに嵌入され、鏡枠ユニット７の組み込み時の位置決めが行われる。上述したように鏡枠ユニット７，メインコンデンサ２５がベースフレーム６の所定位置に位置決め保持された状態で後カバー４と中カバー３に結合させ、さらに、中カバー３の前面側に前カバー２を当接結合させ、各ビスにより締結することでカメラ１が完成する。
【０１０２】
上述した本実施形態のカメラ１においては、パワースイッチ釦３４により電源オン状態とし、非撮影状態でモード選択釦３５と回転ダイヤル２０、または、キャンセル釦３３等の操作により撮影モード等の設定が行われる。その後、カメラグリップ部をホールドした撮影状態にてズーム釦５７，５８の操作により、ズーミングが行われ、さらに、レリーズ釦３１の操作によりフォーカシング後、鏡枠ユニット７の上記第一光学系〜第四光学系を介して取り込まれた被写体像のデータがＣＣＤ１３１にて撮像信号に変換され、撮像信号処理部（図示せず）を介してメディアスロット１６に装着されている記録メディアに記録される。
【０１０３】
上記ズーミング動作時、枠駆動モータ１０２，１１２によって送りネジ軸１０３および１１３が回転駆動され、上記第二群，第三群ナット機構部を介して第二群レンズ１５４を保持する第二群枠７２および第三群レンズ１５５を保持する第三群枠７３がそれぞれのズーミング位置に進退駆動される。上記フォーカシング動作時には、主に第三群枠７３が送りネジ軸１１３を介してフォーカシング位置に進退駆動される。また、撮影に先立って被写体の輝度に応じてＮＤフィルタアクチュエータ９４によりＮＤフィルタ９３が光軸Ｏ2 上に挿入、または、退避駆動される。さらに、撮影信号の取り込み終了に応動してシャッタ駆動アクチュエータ１２１によりシャッタ羽根７９が閉位置に駆動される。
【０１０４】
上述した実施形態のカメラ１の鏡枠ユニット７に組み込まれたレンズ駆動装置においては、第二，三群枠７２，７３のガイド軸用スリーブ８１，８５にそれぞれ回動自在に支持された雌ネジ山部を持つハーフナット８２，８６と、該ハーフナットに回動自在に支持された雌ネジ山部を持つナット爪８３，８７とが送りネジ軸１０３，１１３の外径部に挟持して螺合しており、送りネジ軸１０３，１１３の回転にともなって第二，三群枠７２，７３ががガイド軸７５，７６に沿って進退移動する。上述のようにハーフナット８２とナット爪８３とがスリーブ８１，８５に回動自在に支持されていることから、ガイド軸７５，７６と送りネジ軸１０３との位置ずれ（軸傾きを含む）があったとしても螺合部には無理な力が作用せず、スムーズな進退駆動が行われる。また、ハーフナット８２とナット爪８３、また、ハーフナット８６とナット爪８７とがそれぞれスリーブ８１，８５の近傍にまとめて配されることからそれらの構成部材を第二，三群枠７２，７３の外形範囲内に配置することが可能となり、鏡枠ユニット７をコンパクトにまとめることができ、カメラの小型化に寄与する。
【０１０５】
次に、本実施形態のカメラ１の枠駆動ユニットの取り付け構造の変形例について図２８〜３０を用いて説明する。  
図２８は、上述した一実施形態のカメラにおける枠駆動ユニットの鏡枠本体への取り付け状態を示すＹＺ平面に沿った断面図であり、図２９は、図２８のＢ矢視図である。図３０は、上記枠駆動ユニットの取り付け構造の変形例における図２９に対応する側面図である。
【０１０６】
上述した一実施形態のカメラ１においては、図２８，２９に示すように枠駆動ユニットの鏡枠本体への取り付けは、鏡枠本体６１の側面開口部６１ｙに第二群枠駆動ユニット６６の枠駆動モータ１０２，送りネジ軸１０３が装着された支持板１０１が位置決めされた状態で取り付けられている。すなわち、鏡枠本体６１の上記開口部６１ｙの前方片側面部に設けられる２つの位置決めピン６１ｍとビス穴６１ｋに対して支持板１０１の位置決め穴１０１ｃで位置決めし、ビス挿通穴１０１ｂを挿通させたビス９Ｕを螺着することによって支持板１０１が鏡枠本体６１に取り付けられる。第三群枠駆動ユニット６７についても同様の取り付け構造が適用される。
【０１０７】
それに対して本変形例の枠駆動ユニットの取り付け構造は、図３０に示すように鏡枠本体６１′の側面開口部の前後の両側面部に位置決めピン６１ｍ′およびビス穴６１ｋ′をそれぞれ設け、第二群枠駆動ユニット６６′の支持板１０１′にも対応した状態で前後方向両側部に位置決め穴１０１ｃ′およびビス挿通穴１０１ｂ′をそれぞれ設ける。支持板１０１′は、位置決めピン６１ｍ′と位置決め穴１０１ｃ′とで位置決めされ、ビス挿通穴１０１ｂ′を挿通させたビス９Ｕをビス穴６１ｋ′に螺着して鏡枠本体６１′に取り付けられる。
【０１０８】
この変形例の枠駆動ユニットの取り付け構造によると、支持板１０１′が鏡枠本体６１′の側面開口部の前後の両側面部でビス締結による固定がなされることから枠駆動ユニット６６′が鏡枠本体６１′に強固に、かつ、安定して支持され、鏡枠ユニット７の耐衝撃性が向上し、第二，三群枠の進退移動精度も向上する。
【０１０９】
次に、本実施形態のカメラ１のナット機構部の第一，二の変形例について図３１〜３３を用いて説明する。なお、上記ナット機構部としては、前述したように第二群ナット機構部と第三群ナット機構部との二種類のものが組み込まれる。両者は、基本的に同一構成を有しており、以下、第二群ナット機構部について説明するが、第三群ナット機構部に関しても同等の変形例が適用可能である。
【０１１０】
図３１は、上述した一実施形態のカメラにおける第二群ナット機構部を含む第二群枠軸支持部まわりの光軸Ｏ2 に沿った断面の模式図である。図３２は、上記一実施形態のカメラの第二群ナット機構部に対する第一の変形例における第二群枠軸支持部まわりの光軸Ｏ2 に沿った断面の模式図である。図３３は、上記一実施形態のカメラの第二群ナット機構部に対する第二の変形例における第二群枠軸支持部まわりの光軸Ｏ2 に沿った断面の模式図である。
【０１１１】
上述した一実施形態のカメラにおける第二群枠７２は、図３１に示すようにガイド軸７５，７６により光軸Ｏ2 に沿って進退可能に支持され、かつ、第二群ナット機構部のハーフナット８２を介して送りネジ軸１０３により進退駆動可能に支持されている。詳しくは、第二群枠７２は、第二群レンズ１５４を保持しており、一方端部がスリーブ穴７２ｃに接着固定されたスリーブ８１にガタなく嵌入するガイド軸７５に摺動自在に支持され、他方端部が長穴７２ｂに幅方向にガタなく嵌入するガイド軸７６に摺動自在に支持されている。さらに、スリーブ８１の上半外径部８１ａにハーフナット８２のボス部軸穴８２aaが回動自在に嵌入している。ハーフナット８２は、ナット爪８３と協働して送りネジ軸１０３の雄ネジ外径部を挟持し、螺合している。
【０１１２】
一方、上記一実施形態における第二群ナット機構部に対して第一の変形例の第二群ナット機構部においては、第二群枠７２Ａは、図３２に示すようにガイド軸７５，７６により光軸Ｏ2 に沿ってスリーブを介することなく進退可能に支持され、第二群ナット機構部のハーフナット８２Ａを介して送りネジ軸１０３により進退駆動可能に支持されている。詳しくは、第二群枠７２Ａは、第二群レンズ１５４を保持しており、一方端部が直接、軸穴７２Ａｃにてガタなく嵌入するガイド軸７５に摺動自在に支持され、他端部が長穴７２Ａｂにて幅方向にガタなく嵌入するガイド軸７６に摺動自在に支持されている。さらに、軸穴７２Ａｃが設けられている一方端部の上半外径部７２Ａcaにハーフナット８２Ａのボス部軸穴８２Ａaaが回動自在に嵌入している。ハーフナット８２Ａは、ナット爪（図示せず）と協働して送りネジ軸１０３の雄ネジ外径部を挟持し、螺合している。
【０１１３】
本変形例の第二群ナット機構部を適用した場合も送りネジ軸１０３が回転駆動されると、第二群枠７２Ａは、ハーフナット８２Ａを介してガイド軸７５，７６にガイドされながら光軸Ｏ2 に沿って進退駆動される。
【０１１４】
本変形例の第二群ナット機構部によれば、第二群枠にガイド軸に嵌入するスリーブを用いず、ハーフナット８２Ａを第二群枠７２Ａの軸穴７２Ａｃの上半外径部７２Ａcaに直接回動自在に嵌入させるようにしたので、構成部品数が少なく、部品コストや組み立て工数の点でメリットが得られる。
【０１１５】
さらに、上記一実施形態における第二群ナット機構部に対して第二の変形例の第二群ナット機構部を適用した場合も第二群枠７２Ｂは、図３３に示すようにガイド軸７５，７６により光軸Ｏ2 に沿って進退可能に支持され、かつ、第二群ナット機構部のハーフナット８２Ｂを介して送りネジ軸１０３により進退駆動可能に支持されている。詳しくは、第二群枠７２Ｂは、第二群レンズ１５４を保持しており、一方端部にて二ヶ所に分割されたスリーブ穴７２Ｂｃにスリーブ８１Ｂが接着固定される。該一方端部は、スリーブ８１Ｂにガタなく嵌入するガイド軸７５により摺動自在に支持される。また、他方端部は、長穴７２Ｂｂに幅方向にガタなく嵌入するガイド軸７６に摺動自在に支持されている。そして、分割されたスリーブ穴７２Ｂの間で露出しているスリーブ８１Ｂの中央外径部８１Ｂａにハーフナット８２Ｂのボス部軸穴８２Ｂaaが回動自在に嵌入している。ハーフナット８２Ｂも同様にナット爪（図示せず）と協働して送りネジ軸１０３の雄ネジ外径部を挟持し、螺合している。
【０１１６】
本変形例の第二群ナット機構部を適用した場合も送りネジ軸１０３が回転駆動されると、第二群枠７２Ｂは、ハーフナット８２Ｂを介してガイド軸７５，７６にガイドされながら光軸Ｏ2 に沿って進退駆動される。
【０１１７】
本変形例の第二群ナット機構部を適用すると第二群枠に接着固定されるスリーブの外径の上半部ではなく、分割されたスリーブ穴７２Ｂの間のスリーブ中央外径部８１Ｂａにてハーフナット８２Ｂが回動自在に支持されているので、ハーフナット８２Ｂの支持状態が強固であり、精度のよい状態で第二群枠７２Ｂが進退駆動される。
【産業上の利用可能性】
【０１１８】
本発明によるレンズ駆動装置は、枠部材を進退駆動するレンズ駆動装置にて、摺動抵抗が少なく、しかも、小型化が図れるレンズ駆動装置として利用できる。
【図面の簡単な説明】
【０１１９】
【図１】本発明の一実施形態であるレンズ駆動装置を内蔵するカメラの前面側からみた斜視図である。
【図２】図１のカメラの背面側からみた斜視図である。
【図３】図１のカメラの正面図であり、回転スイッチ部まわりが断面で示される。
【図４】図１のカメラの平面図である。
【図５】図１のカメラのの左側面図である。
【図６】図１のＡ矢視図であって、回転スイッチ部まわりの外観を示す。
【図７】図１のカメラを背面からみた図であって、上記カメラを右手でホールドした撮影時の状態を示す。
【図８】図１のカメラの主要構成部材を示す分解斜視図である。
【図９】図１のカメラの中カバーおよびベースフレームに組み付けられる各スイッチ関連部材の分解斜視図である。
【図１０】図１のカメラの配置を示すＸＹ平面に沿った断面図である。
【図１１】図１のカメラの配置を示すＸＺ平面に沿った断面図である。
【図１２】図１のカメラの配置を示す撮影光学系の光軸を通るＹＺ平面に沿った断面図である。
【図１３】図１のカメラの配置を示す中央部のＹＺ平面に沿った断面図である。
【図１４】図１のカメラに内蔵される鏡枠ユニットの主要構成部材を示す背面側からみた分解斜視図である。
【図１５】図１４の鏡枠ユニットの構成部材のうちのレンズ駆動装置の主要構成部材を示す背面側からみた分解斜視図である。
【図１６】図１５のレンズ駆動装置を構成する第三群枠駆動ユニットと第三群枠ユニットと第三群ナット機構部の組み立て状態での斜視図である。
【図１７】図１５のレンズ駆動装置の第三群枠とガイド軸と第三群ナット機構部との組み立て状態での斜視図である。
【図１８】図１７の第三群枠ユニットにおけるスリーブと第三群枠との接着状態を示す断面図である。
【図１９】図１６のナット機構部の組み立て状態を下方側からみたの斜視図である。
【図２０】図１６のナット機構部のハーフナット単体を下方側からみた斜視図である。
【図２１】図１６のナット機構部のナット爪単体を下方側からみた斜視図である。
【図２２】図１７の上記第三群枠ユニットにおいて、第三群枠とハーフナットとに付勢バネを懸架した状態を示す側面図である。
【図２３】図１４の鏡枠ユニットにおいて、鏡枠本体内に第二群枠ユニットおよび上記第三群枠ユニットの装着前の状態でのＸＺ断面を示す図である。
【図２４】図１４の鏡枠ユニットにおいて、鏡枠本体内に第二群枠ユニットを挿入する過程を示すＸＺ断面の図であって、挿入初期の状態を示す。
【図２５】図１４の鏡枠ユニットにおいて、鏡枠本体内に第二群枠ユニットを挿入する過程を示すＸＺ断面の図であって、ハーフナットが送りネジ軸近傍に到達した状態を示す。
【図２６】図１４の鏡枠ユニットにおいて、鏡枠本体内に第二群枠ユニットを挿入する過程を示すＸＺ断面の図であって、ハーフナットが送りネジ軸に噛合している状態を示す。
【図２７】図１４の鏡枠ユニットにおいて、鏡枠本体内に第二群枠ユニットが挿入された装着状態を示すＸＺ断面の図である。
【図２８】上記一実施形態のカメラの図１４の鏡枠ユニットにおける枠駆動ユニットの鏡枠本体への取り付け状態を示すＹＺ平面に沿った断面図である。
【図２９】図２８のＢ矢視図である。
【図３０】上記一実施形態のカメラの図１４の鏡枠ユニットにおける枠駆動ユニットの取り付け構造の変形例を示す側面図であって、図２９に対応する。
【図３１】上記一実施形態のカメラの図１４の鏡枠ユニットにおける第二群ナット機構を含む第二群枠軸支持部まわりの光軸Ｏ2 に沿った断面の模式図である。
【図３２】上記一実施形態のカメラの第二群ナット機構に対する第一の変形例における第二群枠軸支持部まわりの光軸Ｏ2 に沿った断面の模式図である。
【図３３】上記一実施形態のカメラの第二群ナット機構に対する第二の変形例における第二群枠軸支持部まわりの光軸Ｏ2 に沿った断面の模式図である。
【符号の説明】
【０１２０】
７２，７２Ａ，７２Ｂ
…第二群枠（枠部材）
７３  …第三群枠（枠部材）
７５，７６
…ガイド軸（レンズ駆動装置）
８１，８５，８１Ｂ
…スリーブ（レンズ駆動装置，嵌合部，
スリーブ部材）
８２，８６，８２Ａ，８２Ｂ
…ハーフナット（レンズ駆動装置，被駆動部材，
雌ネジ部材）
８３，８７
…ナット爪（レンズ駆動装置，被駆動部材，
雌ネジ部材）
１０３，１１３
…送りネジ軸（レンズ駆動装置，駆動部材，
レンズ駆動装置，送りネジ部材）
代理人      弁理士    伊  藤    進
【図１】
2005215080.tif 000003
【図２】
2005215080.tif 000004
【図３】
2005215080.tif 000005
【図４】
2005215080.tif 000006
【図５】
2005215080.tif 000007
【図６】
2005215080.tif 000008
【図７】
2005215080.tif 000009
【図８】
2005215080.tif 000010
【図９】
2005215080.tif 000011
【図１０】
2005215080.tif 000012
【図１１】
2005215080.tif 000013
【図１２】
2005215080.tif 000014
【図１３】
2005215080.tif 000015
【図１４】
2005215080.tif 000016
【図１５】
2005215080.tif 000017
【図１６】
2005215080.tif 000018
【図１７】
2005215080.tif 000019
【図１８】
2005215080.tif 000020
【図１９】
2005215080.tif 000021
【図２０】
2005215080.tif 000022
【図２１】
2005215080.tif 000023
【図２２】
2005215080.tif 000024
【図２３】
2005215080.tif 000025
【図２４】
2005215080.tif 000026
【図２５】
2005215080.tif 000027
【図２６】
2005215080.tif 000028
【図２７】
2005215080.tif 000029
【図２８】
2005215080.tif 000030
【図２９】
2005215080.tif 000031
【図３０】
2005215080.tif 000032
【図３１】
2005215080.tif 000033
【図３２】
2005215080.tif 000034
【図３３】
2005215080.tif 000035